(57)【要約】【課題】  主に棚内部に取り付けられる照明において、利用者が棚の戸を開く時、照明を提供できる照明器具構造を提供する。【解決手段】  棚内部に取り付ける照明器具構造において、戸の開きを利用して照明器具構造の電気ループを導通させ、逆に戸の閉めにより照明器具構造の電気ループを断路状態にさせ、電気ループが導通する時、前記照明器具構造の発光部が光を発することで、棚の内部を照明させることにより、棚内物品の陳列位置が見えるようにする。【選択図】    図１
0003139175.tif 000002
【実用新案登録請求の範囲】
【請求項１】
一種の照明器具構造であって、
中空部の筐体構造を含み、且つ、局部表面に前記中空部まで貫通する開口部を具備するケース体と、
発光素子を含み、且つ、前記発光素子は前記ケース体内に設置される発光部と、
前記ケース体の中空部に取付けた電力源となる電力供給部と、
前記発光部と前記電力供給部の電気ループを電気的に接続し、且つ、第１電気接点と第２電気接点を含み、前記第１電気接点と第２電気接点が通常断路状態とする電気ループ部と、
機構部材で、前記ケース体の内部に摺動可能に取付け、並びに、第１位置と第２位置の間に制限され、且つ、前記開口部に対応して貫通、並びに、通常前記ケース体の外側表面から突出する延伸部と前記第１電気接点と前記第２電気接点の導電体に対応する導電部材を含む舌片、及び、
弾性復帰力を具備した機構部材で、且つ、その一端が前記電力供給部に設置され、他端が前記舌片に接続する弾性部材を含み、
前記舌片の導電部材が前記第１電気接点と前記第２電気接点の間を断路状態、又は、導通状態のいずれかの状態を選択でき、且つ、前記導電部材が前記第１電気接点と前記第２電気接点に電気的に接続した時が導通状態で、前記導電部材が前記第１電気接点と前記第２電気接点から外れた時が断路状態で、前記第１位置は前記舌片が選択する断路状態に対応し、前記第２位置は前記舌片が選択する導通状態に対応し、並びに、前記延伸部の前記ケース体表面から突出する位置が前記舌片の第１位置と第２位置のいずれかの位置に対応することを特徴とする、照明器具構造。
【請求項２】
請求項１記載の照明器具構造において、前記ケース体の開口部端面外淵に誘導傾斜面を具備することを特徴とする、照明器具構造。
【請求項３】
請求項１記載の照明器具構造において、前記電力供給部は、電池台を含むことを特徴とする、照明器具構造。
【請求項４】
請求項１記載の照明器具構造において、前記舌片がガイドブロックを具備することを特徴とする、照明器具構造。
【請求項５】
請求項４記載の照明器具構造において、前記ケース体の中空部の前記舌片の移動可能な前記第１位置と前記第２位置の間に前記第１板体を設け、前記第１板体は前記中空部の一端にカバーできることを特徴とする、照明器具構造。
【請求項６】
請求項５記載の照明器具構造において、前記第１板体は前記ガイドブロックを組合せることができるガイド溝を具備することを特徴とする、照明器具構造。
【請求項７】
請求項５記載の照明器具構造において、前記ケース体は第２板体を組合せることができ、前記第２板体が前記中空部一側の他箇所にカバーすることを特徴とする、照明器具構造。
【請求項８】
請求項６記載の照明器具構造において、前記弾性部材がばねであることを特徴とする、照明器具構造。
【請求項９】
請求項１記載の照明器具構造において、前記発光部は前記ケース体上に設け、並びに、前記発光素子にカバーする透光カバー体を更に含むことを特徴とする、照明器具構造。
【請求項１０】
請求項１記載の照明器具構造において、前記ケース体は更に一歩進んで固定板上に機械的に結合することを特徴とする、照明器具構造。
【請求項１１】
請求項１０記載の照明器具構造において、前記固定板一端の対向両側に各々凸部を延伸し、前記ケース体の対向両側に前記凸部に合わせることができる収容溝を具備することを特徴とする、照明器具構造。
【請求項１２】
請求項１１記載の照明器具構造において、前記収容溝の両側に内部に向かって延伸する翼部を具備し、前記凸部の脇に前記翼部に合わせることができる凸縁を具備することを特徴とする、照明器具構造。
【請求項１３】
請求項１２記載の照明器具構造において、前記翼部上に第１凹溝部を具備し、前記凸部の前記脇にも第２凹溝部を具備することを特徴とする、照明器具構造。
【考案の詳細な説明】
【技術分野】
【０００１】
本考案は、照明器具構造に関り、特に、可動舌片のタッチを通じて照明器具構造のオン又はオフを選択できることに関る。
【背景技術】
【０００２】
現在市販されている棚は、ほとんど美観性や実用性に満たすことができるが、利便性について十分に国民の需要に応えられていない。照明問題は、この内の一つと見られている。国民は、通常家庭内或いは会社にも多少物を置ける棚を設置するが、多くの棚ではほとんど照明設備が無い、若しくは照明設備付き棚の値段が通常より少し高く、しかもある種の棚は外付けコンセントがあってこそ照明設備を使用することができ、これによりその利便性は少し足りない。これに鑑み、本考案者は研究設計し、即ち絶え間ない改修により本考案に至った。
【考案の開示】
【考案が解決しようとする課題】
【０００３】
本考案の主な目的は、利用者が棚の戸を開く時、照明を提供できる照明器具構造を提供することにある。
【課題を解決するための手段】
【０００４】
上記目的を達成するため、本考案には、中空部の筐体構造を含み、且つ局部表面に前記中空部まで貫通する開口部を具備するケース体と、発光素子を含み、且つ前記発光素子は前記ケース体内に設置される発光部と、前記ケース体の中空部に取付けた電力源となる電力供給部と、前記発光部と前記電力供給部の電気ループを電気的に接続し、且つ第１電気接点と第２電気接点を含み、前記第１電気接点と第２電気接点が通常断路状態とする電気ループ部と、機構部材で、前記ケース体の内部に摺動可能に取付け、且つ第１位置と第２位置の間に制限され、且つ前記開口部に対応して貫通並びに通常前記ケース体の外側表面から突出する延伸部と前記第１電気接点と前記第２電気接点の導電体に対応する導電部材を含む舌片及び弾性復帰力を具備した機構部材で、且つその一端が前記電力供給部に設置され、他端が前記舌片に接続する弾性部材を含む。前記舌片の導電部材が前記第１電気接点と前記第２電気接点の間を断路状態又は導通状態のいずれかの状態を選択でき、且つ前記導電部材が前記第１電気接点と前記第２電気接点に電気的に接続した時が導通状態で、前記導電部材が前記第１電気接点と前記第２電気接点から外れた時が断路状態で、前記第１位置は前記舌片が選択する断路状態に対応し、且つ前記第２位置は前記舌片が選択する導通状態に対応している。及び前記延伸部の前記ケース体表面から突出する位置が前記舌片の第１位置と第２位置のいずれかの位置に対応する。
【０００５】
当該技術を熟知する者に本発明の目的、特徴及び効果について理解していただくため、下記の具体的な実施例を介し付属の図面を組み合わせることで、本発明に対する詳細な説明を後記のとおり行うものである。
【０００６】
図１から図５に示すように、本考案はケース体１０、発光部２０、電力供給部３０、電気ループ部４０（図３に示す）、舌片５０、弾性部材６０及び固定板７０を含む照明器具構造１で、以下に本考案の実施例を詳細に記述する。
【０００７】
本考案の前記照明器具構造１内において、前記ケース体１０は中空部１００を具えた筐体構造で、前記ケース体１０の一端の表面に筐体を貫通並びに前記中空部１００を連絡する開口部１１を具備し、前記開口部１１が前記ケース体１０の中空部１００から前記ケース体１０の外部まで貫通する。且つ該ケース体１０の前記開口部１１を形成する端面外淵に誘導傾斜面１２を具え、前記誘導傾斜面１２は、前記ケース体１０の端面体積を縮小し、並びに前記ケース体１０の取付け時の利便性のためにある。
【０００８】
本考案の前記照明器具構造１において、前記発光部２０は１個または複数個の発光素子２２を含み、前記発光素子２２は発光ダイオード（ＬＥＤ）或いは直流電源により駆動できる任意の光源とすることができ、且つ前記発光部２０は、前記ケース体１０上に設置され、またこれら発光素子２２をカバーできる透光カバー体２４を更に含む。
【０００９】
前記透光カバー体２４は、例えば光学レンズアレー構造或いは特殊設計した刻み目構造といった光学構造を具備することができ、前記発光素子２２が発する光は前記透光カバー体２４を経由する際、前記光を柔和にさせる、若しくは前記光の光路を調整することで前記光を有効的な照射方向に制限させる。
【００１０】
本考案の前記照明器具構造１において、前記電力供給部３０は照明器具構造１が要する電力源となり、且つ具体的に言うと、本考案の電力供給部３０が提供する具体的な実施例は、前記電力供給部３０を前記ケース体１０の前記中空部１００内に取り付け、並びに前記電力供給部３０には電池台を含み、また一般的な電池（図内に未表示）を利用してその電力源とすることができる。その他、前記電力供給部３０も前記ケース体１０の外部の電力源とすることができ、具体的に言うと、前記電力供給部３０は外付け電池パック或いは商用電力系統に電気的に接続できる変圧器で、且つ電気的な接続を通じて前記電力供給部３０が提供する電力を前記電気ループ部４０内へ誘導することで、前記発光部２０が要する電力を提供できる。
【００１１】
本考案の前記照明器具構造１において、前記電気ループ部４０は主に前記発光部２０と前記電力供給部３０の間の電気ループに電気的に接続し、且つ前記電気ループ部４０内には第１電気接点４２及び第２電気接点４４を含み、前記第１電気接点４２と前記第２電気接点４４の間を断路状態にする。その他、前記第１電気接点４２と前記第２電気接点４４は、各々導電特性を具備する板体で、前記板体は導電材質からなる、或いは非導電材質の基板上にレイアウトされた導電材質からなる。
【００１２】
本考案の前記照明器具構造１において、前記舌片５０は前記ケース体１０の中空部１００内部に設置され、且つ第１位置（図４に表示）と第２位置（図５に表示）の間で制限され、且つ前記舌片５０上に導電部材５１を設け、前記導電部材５１は前記第１電気接点４２と前記第２電気接点４４に対応する導電体である。前記舌片５０は延伸部５２とガイドブロック５３を更に含む。前記舌片５０は、第１位置にある際、前記延伸部５２が相対的に前記開口部１１に押し込まれた状態にあり、且つ前記舌片５０は第２位置にある際、前記延伸部５２が相対的に前記開口部１１の外側表面から突出する状態にある。
【００１３】
更に、前記弾性部材６０の弾性復帰力作用において、前記延伸部５２が外力を受けていない状態にある時、前記導電部材５１の対応位置と前記第１電気接点４２及び第２電気接点４４が相互に接触することで前記電気ループ部４０を電気導通状態に形成させる。及び前記延伸部５２は外力を受けている状態にある時、前記導電部材５１が前記第１電気接点４２及び第２電気接点４４から外れることで前記電気ループ部４０が電気断路状態を形成させる。
【００１４】
前記ケース体１０の中空部１００は、第１板体８０と第２板体８２を更に組合せることができ、前記舌片５０の移動可能な前記第１位置と前記第２位置の間に前記第１板体８０を設ける。前記第１板体８０は、前記中空部１００の一側をカバーでき、前記第２板体８２は、前記中空部１００一側の他箇所をカバーする。前記第１板体８０は、前記ガイドブロック５３を組合せることができるガイド溝８００を具備し、前記ガイドブロック５３と前記ガイド溝８００の組合せは主に前記舌片５０の移動方向を制限させることで、前記第１位置と前記第２位置の間で往復移動できることにある。
【００１５】
前記弾性部材６０は、例えば弾性復帰力を備えたばね、バネシート、弾性材質のブロック体のような機構部材で、且つ前記弾性部材６０の一端を前記中空部１００内に設け、且つ他端を前記舌片５０の一端に機械的に結合する。前記弾性部材６０の一端を前記中空部１００内の電力供給部３０の外側に設置させる。
【００１６】
本考案の前記照明器具構造１に基づき、前記舌片５０の導電部材５１は前記第１電気接点４２と前記第２電気接点４４の間が断路状態又は導通状態のいずれかの状態を選択でき、且つ前記導電部材５１が前記第１電気接点４２と前記第２電気接点４４に電気的に接続することが導通状態で、前記導電部材５１が前記第１電気接点４２と前記第２電気接点４４から外れることが断路状態である。前記第１位置は前記舌片５０が選択する断路状態に対応し、且つ前記第２位置は前記舌片５０が選択する導通状態に対応する。及び前記延伸部５２の前記ケース体１０表面から突出する位置が前記舌片５０の第１位置と第２位置の間のいずれかの位置に対応する。
【００１７】
更に一歩進んで図４及び図５に示すように、図４と図５は各々本考案の照明器具構造を棚を棚に取り付けた後の第１位置及び第２位置における見取図である。本考案の前記照明器具構造１は棚９０内で使用でき、前記固定板７０は前記棚９０の内部に既設・定着させ、前記固定板７０を前記棚９０上に定着してから前記ケース体１０を前記固定板７０上に取り付ける。前記固定板７０一端の対向両脇から各々延伸する凸部７２があり、前記ケース体１０の対向両側に各々前記凸部７２に合わせることができる収容溝１３を具備し、前記収容溝１３の外淵に内側へ向かって延伸する翼部１３０を具える。前記凸部７２の外淵に前記翼部１３０に合わせることができる凸縁７２０を具える。更に、前記翼部１３０上に第１凹溝部１３２を更に設け、且つ前記凸部７２に前記凸縁７２０のある前記外淵にも第２凹溝部７２２を設ける。前記第２凹溝部７２２そばの前記凸部７２を前記第１凹溝部１３２内に直接嵌め込むことができ、相対的に、前記第１凹溝部１３２そばのものにも前記第２凹溝部７２２内に嵌め込むことができる。この設計は主に組立時に必要なルートの長さを減少させることで利用者の組立に必要な時間を節約させることができるためにある。
【００１８】
図４と図５に示すように、前記照明器具構造１は前述の棚９０の内部に取り付けられ、その取り付け方法とはネジによる螺合又は係止を利用して固定板７０を前記棚９０の内部（本考案の特徴ではないので、詳述しない）に定着することができる。次に、前述で言及した方法とおり前記ケース体１０を前記固定板７０上に組立てる。前記棚９０に取り付ける時、前記ケース体１０の開口部１１は前記棚９０の外部空間に向かい、また前記ケース体１０の前記発光部２０を設けた面は前記棚９０の内部空間に向かい、前記棚９０の戸板９２が前記棚９０を閉める状態させる時、前記戸板９２は前記延伸部５２を押すことで、前記舌片５０をケース体１０内部に向かって移動させ、前記ガイドブロック５３も前記ガイド溝８００内において移動させるため、所定の第１位置に到達することができる。前記弾性部材６０も押されて圧縮することで、前記舌片５０上の前記導電部材５１を前記第１電気接点４２と前記第２電気接点４４から外れて、回路断路の現象にさせることができ、前記発光部２０が光を発することはない。逆に、もしも前記棚９０を開いた際、前記戸板９２が前記延伸部５２の上に力を掛けることができず、前記弾性部材６０は弾性復帰力を放出して前記舌片５０に押すと共に前記延伸部５２を前記開口部１１から突出することで、前記舌片５０を所定の第２位置までに移動させるため、更に一歩進んで前記導電部材５１を前記第１電気接点４２及び前記第２電気接点４４と接触させることができ、この場合、全体の回路が導通状態となり、前記発光部２０が光を発して前記棚９０の内部空間を照らすことができる。
【００１９】
前記ケース体１０が前記舌片５０の一端の誘導傾斜面１２に対応することは、前記ケース体１０を前記棚９０に設置した時、前記戸板９２と前記ケース体１０の間に機構の干渉を形成させることを避けることができ、前記ケース体１０の取り付けの利便性を増すことができるためにある。
【００２０】
そのため、本考案で提供する照明器具構造は、利用者に棚内部空間を照明できる照明器具構造であり、これにより本考案は極めて進歩性を有するものであり、十分に法で定められた特許請求の要件に符合するものであり、法に基づきここに申請を行う。審査委員の皆様の詳細なる審査を受け、一日も早く登録していただくよう切に願います。
【００２１】
以上、本考案の好適な実施例につき説明したが、本考案は前述した実施例に限定されることなく、本考案の精神を逸脱しない範囲内において種々の改良変更をなし得ることは勿論である。
【図面の簡単な説明】
【００２２】
【図１】本考案の照明器具構造の立体分解見取図である。
【図２】本考案の照明器具構造の立体組合せの見取図である。
【図３】本考案の照明器具構造の素子の電気的な接続の関係図である。
【図４】本考案の照明器具構造の第１位置状態における平面図である。
【図５】本考案の照明器具構造の第２位置状態における平面図である。
【符号の説明】
【００２３】
１  照明器具構造
１０  ケース体
１００  中空部
１１  開口部
１２  誘導傾斜面
１３  収容溝
１３０   翼部
１３２   第１凹溝部
２０  発光部
２２  発光素子
２４  透光カバー体
３０  電力供給部
４０  電気ループ部
４２  第１電気接点
４４  第２電気接点
５０  舌片
５１  導電部材
５２  延伸部
５３  ガイドブロック
６０  弾性部材
７０  固定板
７２  凸部
７２０  凸縁
７２２  第２凹溝部
８０  第１板体
８００  ガイド溝
８２  第２板体
９０  棚
９２  戸板
【図１】
0003139175.tif 000003
【図２】
0003139175.tif 000004
【図３】
0003139175.tif 000005
【図４】
0003139175.tif 000006
【図５】
0003139175.tif 000007